(57)【要約】【課題】ペットが洗われて水分が拭き取られた濡れタオルの乾燥時間を大幅に短縮することができる水栓柱を提供する。【解決手段】水栓柱１０は、柱状の本体１２内に栓部材（湯水混合栓２４）を内蔵する。栓部材（湯水混合栓２４）のハンドル（操作ハンドル２６、２８）が本体外面１６に設けられる。栓部材（湯水混合栓２４）に接続されたシャワー用吐出部３０と、基端４２が該シャワー用吐出部３０に接続され、先端４４にシャワーヘッド４６を有するシャワーホース４０と、本体１２に取り付けられたハンガー６０とを本体外面１６に設ける。ハンガー６０に、シャワーヘッド４６を着脱自在に保持するシャワーヘッド保持部７０と、タオル８０を係支する水平なタオル掛け部７２とを設ける。【選択図】図１
2009249873.tif 000002
【特許請求の範囲】
【請求項１】
柱状の本体内に栓部材を内蔵し、該栓部材のハンドルが前記本体外面に設けられた水栓柱であって、
前記本体外面に設けられ、前記栓部材に接続されたシャワー用吐出部と、
基端が該シャワー用吐出部に接続され、先端にシャワーヘッドを有するシャワーホースと、
前記本体に取り付けられたハンガーとを備え、
該ハンガーには、前記シャワーヘッドを着脱自在に保持するシャワーヘッド保持部と、タオルを係支する水平なタオル掛け部が設けられていることを特徴とする水栓柱。
【請求項２】
前記ハンガーは所定の長さ寸法を有する棒状部材であり、前記本体に対して直交するかたちで当該本体に取り付けられると共に、
該本体を挟んで一側に前記シャワーヘッド保持部が設けられ、他側に所定の幅寸法を有する前記タオル掛け部が設けられていることを特徴とする請求項１に記載の水栓柱。
【発明の詳細な説明】
【技術分野】
【０００１】
本発明は、水道水を放水するための水栓に関し、特に、柱状の本体内に栓部材を内蔵し、この栓部材のハンドルが本体外面に設けられた水栓柱に関するものである。
【背景技術】
【０００２】
従来より屋外に立設された水栓柱には、植木や花などに常温水をやる散水ホースを接続する蛇口が配設されているものが一般的であるが、近年では水栓柱に常温水が給水される給水配管及び温水が給水される給湯配管が配設されると共に、これらの給水配管及び給湯配管に湯水混合栓が接続され、この湯水混合栓にシャワーホースを介してシャワーヘッドが接続されているものもある。該水栓柱の一側側面にはシャワーヘッド保持部が取り付けられ、水栓柱の本体を挟んでシャワーヘッド保持部の反対側側面にＬ字形状のハンガーが取り付けられていた。
【０００３】
このような水栓柱の用途としては、適宜湯水混合栓が調整されて打ち水、草花、芝生或いは庭木などへの散水、洗車、ペット（例えば犬）への水与えや体洗い、或いは、散歩帰りの足洗いなどが行われる。そして、ハンガーは、ペットの体や足を洗う際に引き綱を係止させたり、或いは、散水ホースなどを巻き取って引っ掛けるものであった（特許文献１参照）。
【特許文献１】特開２００１−２８８７８６号公報
【発明の開示】
【発明が解決しようとする課題】
【０００４】
しかしながら、従来ではシャワーヘッド保持部とハンガーが水栓柱の本体を中心に左右別々に取り付けられているたで、それらシャワーヘッド保持部とハンガーの組立作業性が非常に悪化していた。また、ハンガーは引き綱やホースを掛けるだけで、ある程度広げた状態でタオルを掛けることはできなかった。このため、水栓柱の側でペットが洗われて水分が拭き取られた濡れタオルをハンガーに引っ掛けた場合、そのタオルは纏まってしまって空気の通過が悪く、タオルの乾燥時間が長引いてしまうという問題があった。
【０００５】
本発明は、係る従来技術の課題を解決するために成されたものであり、ペットが洗われて水分が拭き取られた濡れタオルの乾燥時間を大幅に短縮することができる水栓柱を提供することを目的とする。
【課題を解決するための手段】
【０００６】
即ち、本発明の水栓柱は、柱状の本体内に栓部材を内蔵し、該栓部材のハンドルが本体外面に設けられたものであって、本体外面に設けられ、栓部材に接続されたシャワー用吐出部と、基端が該シャワー用吐出部に接続され、先端にシャワーヘッドを有するシャワーホースと、本体に取り付けられたハンガーとを備え、該ハンガーには、シャワーヘッドを着脱自在に保持するシャワーヘッド保持部と、タオルを係支する水平なタオル掛け部が設けられていることを特徴とする。
【０００７】
また、請求項２の発明の水栓柱は、上記において、ハンガーは所定の長さ寸法を有する棒状部材であり、本体に対して直交するかたちで当該本体に取り付けられると共に、該本体を挟んで一側にシャワーヘッド保持部が設けられ、他側に所定の幅寸法を有するタオル掛け部が設けられていることを特徴とする。
【発明の効果】
【０００８】
本発明によれば、柱状の本体内に栓部材を内蔵し、該栓部材のハンドルが本体外面に設けられた水栓柱であって、本体外面に設けられ、栓部材に接続されたシャワー用吐出部と、基端が該シャワー用吐出部に接続され、先端にシャワーヘッドを有するシャワーホースと、本体に取り付けられたハンガーとを備え、該ハンガーには、シャワーヘッドを着脱自在に保持するシャワーヘッド保持部と、タオルを係支する水平なタオル掛け部が設けられているので、水栓柱の部品点数を削減することができる。これにより、シャワーヘッド保持部とハンガーとを一度に水栓柱に取り付けることが可能となる。従って、水栓柱へ取り付けるシャワーヘッド保持部とハンガーとの双方の組立作業性を大幅に向上させることができ、水栓柱のコストが高騰してしまうのを防止することができるようになるものである。
【０００９】
また、請求項２の発明によれば、ハンガーは、所定の長さ寸法を有する棒状部材であり、本体に対して直交するかたちで当該本体に取り付けられると共に、該本体を挟んで一側にシャワーヘッド保持部が設けられ、他側に所定の幅寸法を有するタオル掛け部が設けられているので、当該タオル掛け部に濡れタオルを広げた状態で掛けることができる。これにより、シャワーヘッド保持部に保持したシャワーヘッドから水が垂れた場合でも、タオル掛け部に広げて掛けたタオルが濡れてしまうなどと言ったこともないので、濡れタオルの乾燥時間が大幅に長引いてしまうなどと言った不都合を未然に防止することができるようになるものである。
【００１０】
特に、タオル掛け部には、タオルを広げて掛けることができるので、例えば従来のようにハンガーに掛けた濡れタオルの下方が纏まって空気の通過が悪くなってしまうのを防止することができる。従って、濡れタオル全体に、空気を良好に通過させることができるようになるので、濡れタオルの乾きを促進でき、当該濡れタオルの乾燥時間を大幅に短縮することができる。
【００１１】
また、ハンガーに濡れタオルを広げた状態で引っ掛けることができるので、水栓柱の場所で濡れタオルを短時間で乾燥させることが可能となる。これにより、例えば、他の場所に設置した物干しまで濡れタオルを持ち運ぶ手間を省くことができる。従って、次回に洗ったペットを拭き取る際、乾燥したタオルを他の場所に探しに行かなくても水栓柱の場所で直ぐに使用することができ、水栓柱の利便性を大幅に向上させることができるようになるものである。
【００１２】
更に、タオル掛け部は、棒状部材にて所定の長さ寸法を呈しているので、例えば、タオルを掛ける他、フックの付いたペット用のシャンプーや、リンスなども引っ掛けることができる。これにより、水栓柱の多様性も増して更に利便性を向上させることができる。
【発明を実施するための最良の形態】
【００１３】
本発明は、水栓柱の側でペットが洗われて水分が拭き取られた濡れタオルの乾燥時間を短縮させることができるハンガーを設けたことを主な特徴とする。濡れタオルの乾燥時間を短縮させるという目的を、水栓柱の本体に対して直交するかたちで所定長さの棒状ハンガーを設け、濡れタオルが纏まってしまうのを防止して空気の流通を良好にすることで実現した。
【実施例】
【００１４】
次に、図面に基づき本発明の実施の形態を詳述する。図１は本発明の一実施例を示す水栓柱１０の正面図、図２は本発明の一実施例を示す水栓柱１０の背面図をそれぞれ示している。本実施形態における水栓柱１０は、例えば、屋外のコンクリート製の洗い場などに立設されて、好適な水温で主にペット（例えば犬）への水与えや体洗い、或いは、散歩帰りの足洗などが行われる他、草花、芝生或いは庭木などへの散水や洗車などに用いられるものである。
【００１５】
水栓柱１０は、図１に示すように、中空柱状の本体１２を備えており（角筒形、或いは、円筒形、多角筒形等が考えられる）、この本体１２は、外観的に見栄えが良く、容易に錆び難いステンレス製にて構成されている（以降本体１２は角筒で説明を行う）。本体１２は、一辺が約６０．５ｍｍの角筒で、高さ約９１５．０ｍｍに形成されている。また、本体１２内には、図示しないが給水源から水が給水される給水配管２０、及び、給湯機器等の給湯源から湯が給湯される給湯配管２２が配設されている（図２）。
【００１６】
該これらの給水配管２０及び給湯配管２２は、これもまた図示しないが洗面化粧台やキッチンシンク等に設置される湯水混合水栓へ給水される配管を分岐して配設するような構成であっても差し支えない。また、本体１２は、地上に約７１５．５ｍｍ、下部約１９９．５ｍｍが地面に埋設されることにより、水栓柱１０がコンクリート製の洗い場などに立設され、固定されている。尚、１４は、本体１２上部の開口を塞ぐ蓋体であり、この蓋体１４は、本体１２内部を容易にメンテナンスが行えるように取り外し可能に構成されている。
【００１７】
水栓柱１０は、図２に示すように本体１２内部の上方に湯水混合栓２４（本発明の栓部材に相当）が配設されており、この湯水混合栓２４に、前記給水配管２０、及び、給湯配管２２が接続されている。本体１２上部左右の本体外面１６には、前記湯水混合栓２４の開閉操作を行うための２つの操作ハンドル２６、２８（本発明のハンドルに相当）が配設されると共に、この操作ハンドル２６、２８（両操作ハンドル２６、２８の図示しない回転軸を含む）は左右対称となるように本体１２より左右に突出して配設されている。
【００１８】
両操作ハンドル２６、２８は、給水量調節用の給水操作ハンドル２６（図２左側）と給湯量調節用の給湯操作ハンドル２８（図２右側）が組み合わされると共に、両操作ハンドル２６、２８の中心軸は本体１２上端より約３５．５ｍｍ下方に位置して配設されている。尚、湯水混合栓２４内部にサーモスタットを内蔵して自動温度調節機能を持たせた場合には、どちらか一方の操作ハンドル２６或いは２８を流量調節ハンドル、他方の操作ハンドル２６或いは２８を温度調節ハンドルとするような構成であっても差し支えない。
【００１９】
該湯水混合栓２４には、両操作ハンドル２６、２８の操作により、混合された湯水を吐出するためのシャワー用吐出部３０が配設されており、このシャワー用吐出部３０には所定長さ（この場合例えば１５００．０ｍｍ〜２０００．０ｍｍ）のシャワーホース４０を介してシャワーヘッド４６が設けられている。即ち、シャワー用吐出部３０にはシャワーホース４０の一端（基端４２）が接続され、このシャワーホース４０の他端（先端４４）にシャワーヘッド４６が接続されている。
【００２０】
該シャワー用吐出部３０には、シャワーホース４０を接続するホース接続部３２が配設されている。このホース接続部３２には、シャワーホース４０をワンタッチで着脱可能なカップリング部材３４が配設されており、このカップリング部材３４が用いられてシャワーホース４０はホース接続部３２に装着されている。
【００２１】
一方、湯水混合栓２４の下方となる本体１２の上下方向略中間には、給水栓５０（本発明の栓部材に相当）が配設されている。この給水栓５０は、前記給水配管２０に接続されると共に、給水栓５０には蛇口５２が接続されており、この蛇口５２は本体外面１６に突出して配設されている。蛇口５２は、前記洗い場にてペットへの水与えや体洗い、或いは、散歩帰りの足洗いの他、草花、芝生或いは庭木などへの散水、洗車などを行う際に散水ホース８２（図１に図示）が接続される。尚、散水ホース８２を接続せず、そのまま蛇口５２から水を吐出させて使用するような構成であっても差し支えない。
【００２２】
この蛇口５２は、給水栓５０に回動可能に接続され、使用方向に応じて回動することができるようになっている。尚、５４は、蛇口５２から水を吐出させるための操作ハンドルであり、前記両操作ハンドル２６、２８と直交して配設されている。また、蛇口５２に、散水ホース８２をワンタッチで着脱可能なカップリング部材（図示せず）を配設し、このカップリング部材を用いて散水ホース８２を装着できるような構成であっても差し支えない。
【００２３】
他方、前記本体１２には、前記シャワーヘッド４６を着脱自在に保持可能なシャワーヘッド保持部７０と、タオル８０を広げた状態で引っ掛けて係支する水平なタオル掛け部７２を備えたハンガー６０が配設されている。該ハンガー６０は、本体１２の上部（操作ハンドル２６、２８の下方で、当該操作ハンドル２６、２８近傍）に位置して配設されている。該ハンガー６０には、本体１２の一側にシャワーヘッド保持部７０を備えると共に、本体１２を挟んで他側に一般のタオル８０（この場合、長さ約７６０．０ｍｍ、幅約３４０ｍｍ．０のタオル）を広げた状態で引っ掛けて乾すことができる所定の幅寸法（本体から端部までの長さ）を有するタオル掛け部７２を備えている（図１に図示）。
【００２４】
このハンガー６０は、外観的に見栄えが良く、容易に錆び難い所定の肉厚の、ステンレス製の棒状のパイプ（本発明の棒状部材に相当）にて構成されると共に、直径約２５．０ｍｍ、長さ約５５０．０ｍｍに形成されている。また、ハンガー６０は、これもまたステンレス製の保持部材６２に溶接固定されることにより保持されると共に、保持部材６２は略方形に形成され、複数のボルト６４にて本体１２に締め付け固定されている。
【００２５】
即ち、ハンガー６０は、本体１２上縁より約１００．０ｍｍ下方に複数のボルト６４にて固定されている。該ハンガー６０は、本体１２の一面側（ホース接続部３２の反対面側）に配設されると共に、前記両操作ハンドル２６、２８と平行に配設されている。尚、本体１２、ハンガー６０及び保持部材６２は、ステンレス製に限らず合成樹脂・表面を樹脂で被覆した鋼板など、比較的強度があり耐久性、耐候性に優れている部材で作製しても差し支えない。
【００２６】
そして、ハンガー６０が保持部材６２にて本体１２に固定された状態で、ハンガー６０のタオル８０を引っ掛ける水平なタオル掛け部７２は、本体１２を挟んでシャワーヘッド保持部７０の対向方向に約３００．０ｍｍ延在している。該タオル掛け部７２の先端には、人体が当たった場合、角部で怪我をしないように、楕円、若しくは、球形の保護部材７４が設けられている。この保護部材７４は、ハンガー６０の、横断直径の約２倍の大きさを呈しており、タオル掛け部７２の先端がこの保護部材７４の図示しない接合孔（予め設けられた接合孔）に挿入された状態で溶接固定されている。
【００２７】
この保護部材７４は、タオル掛け部７２にタオル８０を引っ掛けた際（タオル８０を乾かしているとき）風が吹いても保護部材７４に引っ掛かって容易に脱落しない効果がある。また、ハンガー６０は、タオル掛け部７２の反対側に１８９．５ｍｍ延在しており、その端部にシャワーヘッド４６を着脱自在に保持するシャワーヘッド保持部７０が設けられている。このシャワーヘッド保持部７０の一側にハンガー６０が挿入された状態で溶接固定されている。
【００２８】
また、シャワーヘッド保持部７０は、タオル掛け部７２の離間側が開口（図示せず）しており、その開口からシャワーヘッド４６がシャワーヘッド保持部７０に挿入されることにより、シャワーヘッド４６がシャワーヘッド保持部７０に保持される。即ち、シャワーヘッド保持部７０は側面（本体１２の離間側）からシャワーヘッド４６を着脱できるようになっている。尚、シャワーヘッド保持部７０は、本体１２の前後面（ハンガー６０に対して直交する方向）のどちらか一方を開口し、その開口からシャワーヘッド４６を着脱できるような構成であっても差し支えない。係るシャワーヘッド保持部７０は、本体１２より所定寸法離間したハンガー６０の端部に配設しているので、散水終了後に巻き取った散水ホース８２を引っ掛けたりするのに利用することもでき便利である。
【００２９】
そして、水栓柱１０は、必要に応じて操作ハンドル２６、２８が操作されることにより、給水配管２０及び給湯配管２２からの常温水及び温水が湯水混合栓２４にて適温の水温に混合される。湯水混合栓２４にて適温になった水温は、シャワー用吐出部３０を介してシャワーヘッド４６から吐出させることができるので、気温が低く寒い冬期などにおいては、ペットの体や足洗い、或いは、洗車等を好適に行うことができる。また、水栓柱１０は必要に応じて操作ハンドル２６、２８が操作されることにより、シャワー用吐出部３０を経由してシャワーヘッド４６から好適な常温水（水道水）を吐出させることもできるので、気温が高く暑い夏期などにおいては、常温水でペットの体や足洗い、或いは、洗車等を好適に行うことができる。
【００３０】
勿論、冬期と夏期との中間期でもシャワーヘッド４６から好適な温水、或いは、常温水を吐出させてペットの体や足洗い、或いは、洗車等を好適に行うことができる。そして、ペットの体や足洗いが行われた後、ペットの水分が拭き取られた濡れたタオル８０をタオル掛け部７２に引っ掛けて広げておけば、当該タオル８０の乾きが促進して、乾燥時間を大幅に短縮することができるので、次回に洗ったペットを拭き取る際、乾いたタオル８０を使用することができ、便利である。また、タオル掛け部７２は、棒状部材にて所定の長さを呈しているので、タオル８０を掛ける他、フックの付いたペット用のシャンプーや、リンスなども引っ掛けることができ、多様性も増して更に水栓柱１０の利便性を向上させることができる。
【００３１】
このように、水栓柱１０は、柱状の本体１２内に栓部材（湯水混合栓２４）、及び、湯水混合栓２４を内蔵すると共に、湯水混合栓２４の操作ハンドル２６、２８を本体外面１６に設けている。また、湯水混合栓２４に接続されたシャワー用吐出部３０と、基端４２がこのシャワー用吐出部３０に接続され、先端４４にシャワーヘッド４６を有するシャワーホース４０と、本体１２に取り付けられたハンガー６０とを本体外面１６に設けている。尚、本体１２内には栓部材（給水栓５０）も内蔵され、この給水栓５０の操作ハンドル５４及び蛇口５２も本体外面１６に設けられている。
【００３２】
そして、ハンガー６０には、シャワーヘッド４６を着脱自在に保持するシャワーヘッド保持部７０と、タオル８０を引っ掛けて係支する水平なタオル掛け部７２が設けられているので、水栓柱１０の部品点数を削減することができる。これにより、シャワーヘッド保持部７０とハンガー６０とを一度に水栓柱１０に取り付けることが可能となる。従って、水栓柱１０へ取り付けるシャワーヘッド保持部７０とハンガー６０の組立作業性を大幅に向上させることができ、水栓柱１０のコストが高騰してしまうなどといった不都合を防止することができる。
【００３３】
また、ハンガー６０は、所定の長さ寸法を有する棒状部材にて構成し、本体１２に対して直交するかたちで当該本体１２に取り付けられると共に、この本体１２を挟んで一側にシャワーヘッド保持部７０が設けられ、他側に所定の長さ寸法を有するタオル掛け部７２が設けられているので、当該タオル掛け部７２に濡れタオル８０を広げた状態で掛けることができる。これにより、シャワーヘッド保持部７０に保持したシャワーヘッド４６から水が垂れた場合でも、タオル掛け部７２に広げて掛けたタオル８０が濡れてしまうなどと言った不都合も解消することができる。
【００３４】
特に、タオル掛け部７２には、タオル８０を広げて掛けることができるので、例えば従来のようにハンガー６０に掛けた濡れタオル８０の下方が纏まって空気の通過が悪くなってしまうのを防止することができる。従って、濡れタオル８０全体に良好に空気を通過させることができるようになるので、濡れタオル８０の乾燥時間を大幅に短縮することができる。
【００３５】
また、ハンガー６０に濡れタオル８０を広げた状態で引っ掛けることができるので、濡れタオル８０を持ち運ぶ手間が省け、水栓柱１０の場所で乾かすことができる。これにより、次回に洗ったペットを拭き取る際、乾いたタオル８０を直ぐに使用することができ、水栓柱１０の利便性を大幅に向上させることができる。
【００３６】
尚、実施形態では水栓柱１０の形状や寸法或いは材質などを記載したが、水栓柱１０の要旨を逸脱しない範囲内でそれらの形状や寸法を変更しても良いのは言うまでもない。勿論本発明は、上記各実施例のみに限定されるものではなく、この発明の趣旨を逸脱しない範囲で他の様々な変更を行っても本発明は有効である。
【図面の簡単な説明】
【００３７】
【図１】本発明の一実施例を示す水栓柱の正面図である。
【図２】本発明の一実施例を示す水栓柱の背面図である。
【符号の説明】
【００３８】
１０  水栓柱
１２  本体
１４  蓋体
１６  本体外面
２０  給水配管
２２  給湯配管
２４  湯水混合栓（栓部材）
２６  操作ハンドル
２８  操作ハンドル
３０  シャワー用吐出部
３２  ホース接続部
３４  カップリング部材
４０  シャワーホース
４２  基端
４４  先端
４６  シャワーヘッド
５０  給水栓５０（栓部材）
５２  蛇口
５４  操作ハンドル
６０  ハンガー
６２  保持部材
６４  ボルト
７０  シャワーヘッド保持部
７２  タオル掛け部
７４  保護部材
８０  タオル
８２  散水ホース
【図１】
2009249873.tif 000003
【図２】
2009249873.tif 000004